(57)【要約】【課題】放送番組情報を定期的に自動入手して広告のように視覚的にユーザに報知させる携帯端末装置等を提供する。【解決手段】電子ペーパーを備える携帯端末装置において、外部から電子番組表のデータを受信する受信手段と、前記受信手段により受信した電子番組表のデータを前記電子ペーパーに表示するための番組情報として加工して記憶する記憶手段と、前記番組情報の内容を前記電子ペーパーに表示させる表示制御手段と、を備える。【選択図】図２
2010093668.tif 000002
【特許請求の範囲】
【請求項１】
電子ペーパーを備える携帯端末装置において、
外部から電子番組表のデータを受信する受信手段と、
前記受信手段により受信した電子番組表のデータを前記電子ペーパーに表示するための番組情報として加工して記憶する記憶手段と、
前記番組情報の内容を前記電子ペーパーに表示させる表示制御手段と、
を備えることを特徴とする携帯端末装置。
【請求項２】
請求項１に記載の携帯端末装置において、
前記番組情報以外の情報の内容を表示する表示手段を備えることを特徴とする携帯端末装置。
【請求項３】
請求項１又は２に記載の携帯端末装置において、
前記電子ペーパーは、当該携帯端末装置の筐体外面に設置されていることを特徴とする携帯端末装置。
【請求項４】
請求項１乃至３の何れか一項に記載の携帯端末装置において、
前記受信手段は、前記電子番組表のデータを所定時間毎に自動的に受信することを特徴とする携帯端末装置。
【請求項５】
請求項１乃至４の何れか一項に記載の携帯端末装置において、
前記表示制御手段は、所定時間ごとに前記電子ペーパーに表示される番組情報の内容を切り換えることを特徴とする携帯端末装置。
【請求項６】
請求項１乃至４の何れか一項に記載の携帯端末装置において、
前記表示制御手段は、チャンネルごとに前記電子ペーパーに表示される番組情報の内容を切り換えることを特徴とする携帯端末装置。
【請求項７】
請求項５又は６に記載の携帯端末装置において、
前記表示制御手段は、前記電子ペーパーに表示される番組情報の内容をサムネイル形式で切り換えることを特徴とする携帯端末装置。
【請求項８】
電子ペーパーを備える携帯端末装置における情報表示方法において、
外部から電子番組表のデータを受信する受信工程と、
前記受信工程において受信した電子番組表のデータを前記電子ペーパーに表示するための番組情報として加工して記憶する記憶工程と、
前記番組情報の内容を前記電子ペーパーに表示させる表示制御工程と、
を有することを特徴とする情報表示方法。
【請求項９】
電子ペーパーと、電子番組表のデータを前記電子ペーパーに表示するための番組情報として加工して記憶する記憶手段とを備える携帯端末装置に含まれるコンピュータを、
外部から電子番組表のデータを受信する受信手段、及び、
前記番組情報の内容を前記電子ペーパーに表示させる表示制御手段、
として機能させることを特徴とする情報表示プログラム。
【発明の詳細な説明】
【技術分野】
【０００１】
本発明は、電子ペーパーを備える携帯端末装置等に関する。
【背景技術】
【０００２】
携帯電話機等の携帯端末装置では、地上デジタルテレビジョン放送（ＤＴＶ：Digital Television）用アンテナとチューナを内蔵し、放送番組を視聴することができることが一般的になってきている。
【０００３】
このような携帯端末装置の一例が特許文献１乃至３に記載されている。
【特許文献１】特開２００５‐２１０３２０号公報
【特許文献２】特開２００５‐２１０３２２号公報
【特許文献３】特開２００７‐０５２２４１号公報
【発明の開示】
【発明が解決しようとする課題】
【０００４】
しかしながら、上記の技術は、放送番組情報を、携帯電話機等の携帯端末装置に内蔵のアプリ等によりネットワーク経由で取得する手段を有してはいるが、ユーザが放送番組情報を得るために能動的な操作を行わなければならない問題点があった。
【０００５】
そこで、本発明は、上記問題点を鑑みてなされたものであり、本発明の目的の一例は、放送番組情報を定期的に自動入手して広告のように視覚的にユーザに報知させる携帯端末装置等を提供することにある。
【課題を解決するための手段】
【０００６】
本発明の携帯端末装置は、電子ペーパーを備える携帯端末装置において、外部から電子番組表のデータを受信する受信手段と、前記受信手段により受信した電子番組表のデータを前記電子ペーパーに表示するための番組情報として加工して記憶する記憶手段と、前記番組情報の内容を前記電子ペーパーに表示させる表示制御手段と、を備えることを特徴とする。
【０００７】
本発明の情報表示方法は、電子ペーパーを備える携帯端末装置における情報表示方法において、外部から電子番組表のデータを受信する受信工程と、前記受信工程において受信した電子番組表のデータを前記電子ペーパーに表示するための番組情報として加工して記憶する記憶工程と、前記番組情報の内容を前記電子ペーパーに表示させる表示制御工程と、を有することを特徴とする。
【０００８】
本発明の情報表示プログラムは、電子ペーパーと、電子番組表のデータを前記電子ペーパーに表示するための番組情報として加工して記憶する記憶手段とを備える携帯端末装置に含まれるコンピュータを、外部から電子番組表のデータを受信する受信手段、及び、前記番組情報の内容を前記電子ペーパーに表示させる表示制御手段、として機能させることを特徴とする。
【発明の効果】
【０００９】
本発明の携帯端末装置によれば、電子ペーパーを携帯端末装置の筐体外面に搭載し、現在放送中の番組情報をサムネイル形式で定期的に切り替えることにより、現在放送中の番組情報をユーザへ効果的に報知させることができる。
【００１０】
また、本発明の携帯端末装置によれば、電力無しで半永久的に表示可能である電子ペーパーの揮発性や、画面書換え時のみ微量の電力を使用する低消費電力性を利用することで、ＬＣＤ（Liquid Crystal Display）や有機ＥＬ（Electro Luminescence）等のディスプレイと比較しても、表示・切り替え制御を微量な電力で長時間維持させることができる。
【発明を実施するための最良の形態】
【００１１】
次に、本発明に好適な実施の形態について、図面に基づいて説明する。
【００１２】
本発明の実施形態に係る携帯端末装置Ｙ００１の構成及び機能について、図１及び２を用いて説明する。
【００１３】
図１は本発明の実施形態に係る携帯端末装置Ｙ００１の概略構成の一例を示す外観図であり、図２は本発明の実施形態に係る携帯端末装置Ｙ００１の要部の構成の一例を示すブロック図である。
【００１４】
図１に示すように、携帯端末装置Ｙ００１（携帯端末装置の一例）は、当該携帯端末装置Ｙ００１の筐体外部に電子ペーパーＹ００２（電子ペーパーの一例）と、地上デジタルテレビジョン放送（ＤＴＶ）用アンテナＹ００３とを備えている。
【００１５】
携帯端末装置Ｙ００１は、無線局・無線設備Ｙ００４（外部の一例）からのテレビ用電波を受信し、地上波デジタル放送番組と電子番組表（ＥＰＧ：Electronic Program Guide）を受信する。そして、携帯端末装置Ｙ００１は、電子番組表より入手した番組データに基づき、電子ペーパーＹ００２に表示する番組画像を携帯端末装置Ｙ００１内に保持する。そして、携帯端末装置Ｙ００１は、当該携帯端末装置Ｙ００１に内蔵のＲＴＣ（Real Time Clock）に基づき、現在放送中である番組情報（画像や文字等）の内容を電子ペーパーＹ００２に表示させる。
【００１６】
図２に示すように、携帯端末装置Ｙ００１は、装置制御部Ｙ０１１を中心に、本発明に関係する携帯端末装置Ｙ００１内の各部へは内部バスＹ０２２を介して接続されている。
【００１７】
装置制御部Ｙ０１１は、図示しないＣＰＵ（Central Processing Unit）、及び、図示しないチップセットが含まれ、携帯端末装置Ｙ００１全体を制御する。
【００１８】
メモリＹ０１２は、ＲＯＭ（Read-Only Memory）及びＲＡＭ（Random Access Memory）を搭載しており、制御ＯＳ（Operating System）ソフトＹ０１３、地上デジタルテレビジョン放送（ＤＴＶ）受信制御プログラムＹ０１４、電子ペーパー制御プログラムＹ０１５、番組情報更新制御プログラムＹ０１６、及び、番組情報保存データベースＹ０１７（記憶手段の一例）を含んでいる。また各プログラムは、制御ＯＳソフトＹ０１３を介して制御処理が実行され、携帯端末装置Ｙ００１内の各デバイスを制御するドライバも含む。尚、本実施形態に係る携帯端末装置Ｙ００１では、番組情報（画像や文字等）の内容の電子ペーパーＹ００２への表示は、上記各プログラムＹ０１４乃至Ｙ０１７の連携によって行われる。
【００１９】
通信制御ユニットＹ０１８は、携帯電話キャリアが提供するネットワークにアクセスするための通信制御を担っている。
【００２０】
地上デジタルテレビジョン放送（ＤＴＶ）受信ユニットＹ０１９（受信手段の一例）は、ＤＴＶアンテナとＤＴＶチューナとを備えて構成され、ＤＴＶ受信制御プログラムＹ０１４によって制御される。
【００２１】
電子ペーパー表示制御ユニットＹ０２０（表示制御手段の一例）は、電子ペーパー制御プログラムＹ０１５によって制御される。
【００２２】
メインディスプレイ表示ユニットＹ０２１は、携帯端末装置Ｙ０１４のＬＣＤや有機ＥＬ等のディスプレイデバイスの画面制御を担っており、機能に応じた様々な表示を行うが、本実施形態においては地上デジタルテレビジョン放送を表示させるディスプレイ（表示手段の一例）としての役割をもつ。更に図１に示されているように、折り畳まれている状態の携帯端末装置Ｙ００１を開示した状態において、当該携帯端末装置Ｙ００１の内側に当該ディスプレイが備えられている。
【００２３】
次に、本発明の実施形態に係る携帯端末装置Ｙ００１の動作を、図３を参照して説明する。
【００２４】
図３に示すように、携帯端末装置Ｙ００１は、１日に数回、無線局・無線設備Ｙ００４から電子番組表のデータ（ＥＰＧ）を受信し、電子ペーパーＹ００２に表示するための番組情報（画像や文字等）として加工し、タイムテーブルと共に内蔵のメモリＹ０１２内の番組情報保存データベースＹ０１７に保持する。尚、保持した画像は、携帯端末装置Ｙ００１の電源がオフになっても良いように、不揮発性のメモリ領域に保持することが望ましい。
【００２５】
次に、携帯端末装置Ｙ００１は、当該携帯端末装置Ｙ００１に内蔵のＲＴＣに基づいて、現在放送中である番組情報（画像や文字等）の内容をサムネイル形式で電子ペーパーＹ００２に表示させる。尚、放送番組は、１５分、３０分、１時間単位で組まれることが多いため、数分単位（例えば、図３においては３分）で電子ペーパーＹ００２の内容の切り替え制御を行う。また、チャンネル毎に表示する番組の内容を切り替えても良く、また、ユーザの好みに応じて特定のジャンル（ドラマ、スポーツ、アニメ等）の番組の内容を表示させても良く、また、特定のキーワードにヒットした番組の内容を表示させても良い。
【００２６】
以上説明したように、本実施形態に係る携帯端末装置Ｙ００１によれば、電子ペーパーＹ００２を携帯端末装置Ｙ００１の筐体外面に搭載し、現在放送中の番組情報の内容をサムネイル形式で定期的に切り替えることにより、現在放送中の番組情報の内容をユーザへ効果的に報知させることができる。
【００２７】
また、本実施形態に係る携帯端末装置Ｙ００１によれば、電力無しで半永久的に表示することが可能である電子ペーパーＹ００２の揮発性や、画面書換え時のみ微量の電力を使用する低消費電力性を利用することにより、ＬＣＤ（Liquid Crystal Display）や有機ＥＬ（Electro Luminescence）等のディスプレイと比較しても、表示・切り替え制御を微量な電力で長時間維持させることができる。
【００２８】
なお、本発明に係る携帯端末装置について好適な実施形態を示して説明したが、本発明に係る携帯端末装置は、上記実施形態に限定されるものではなく、本発明の範囲で種々の変更実施が可能であることは言うまでもない。例えば、本実施形態の他の実施形態として、電子ペーパーに表示する番組情報（画像や文字等）の内容は、地上デジタルテレビジョン放送（ＤＴＶ）が受信できないエリアにいるときの代替手段として、携帯電話キャリアが提供しているネットワークや、非接触ＩＣ、他情報端末装置との赤外線通信・Bluetooth通信から入手しても良い。また、本発明に係る携帯端末装置は、携帯電話機、ＰＨＳ（Personal Handy-phone System）、ＰＤＡ（Personal Data Assistance，Personal Digital Assistants：個人向け携帯型情報通信機器）、携帯ゲーム機等に適用することができる。
【図面の簡単な説明】
【００２９】
【図１】本発明の実施形態に係る携帯端末装置Ｙ００１の概略構成の一例を示す外観図である。
【図２】本発明の実施形態に係る携帯端末装置Ｙ００１の要部の構成の一例を示すブロック図である。
【図３】本発明の実施形態に係る携帯端末装置Ｙ００１の動作の一例を示す図である。
【符号の説明】
【００３０】
Ｙ００１    携帯端末装置
Ｙ００２    電子ペーパー
Ｙ００３    地上デジタルテレビジョン放送（ＤＴＶ）用アンテナ
Ｙ００４    無線局・無線設備
Ｙ０１１    装置制御部
Ｙ０１２    メモリ
Ｙ０１３    制御ＯＳソフト
Ｙ０１４    地上デジタルテレビジョン放送（ＤＴＶ）受信制御プログラム
Ｙ０１５    電子ペーパー制御プログラム
Ｙ０１６    番組情報更新制御プログラム
Ｙ０１７    番組情報保存データベース
Ｙ０１８    通信制御ユニット
Ｙ０１９    地上デジタルテレビジョン放送（ＤＴＶ）受信ユニット
Ｙ０２０    電子ペーパー表示制御ユニット
Ｙ０２１    メインディスプレイ表示ユニット
Ｙ０２２    内部バス
【図１】
2010093668.tif 000003
【図２】
2010093668.tif 000004
【図３】
2010093668.tif 000005